(57)【要約】【課題】画像から認識されるオブジェクトに対するより直感的な操作を可能にする。【解決手段】撮像画像から認識されるオブジェクトの中から第１のオブジェクトおよび第２のオブジェクトを指定するユーザの操作を示す操作情報を取得する操作情報取得部と、上記操作情報に基づいて、上記第１のオブジェクトに対応する第１の情報と上記第２のオブジェクトに対応する第２の情報とを関連付ける関連付け部とを含む情報処理装置が提供される。【選択図】図４
2013200793.tif 000002
【特許請求の範囲】
【請求項１】
撮像画像から認識されるオブジェクトの中から第１のオブジェクトおよび第２のオブジェクトを指定するユーザの操作を示す操作情報を取得する操作情報取得部と、
前記操作情報に基づいて、前記第１のオブジェクトに対応する第１の情報と前記第２のオブジェクトに対応する第２の情報とを関連付ける関連付け部と
を備える情報処理装置。
【請求項２】
前記関連付け部は、前記第１のオブジェクトを指定する前記ユーザの操作を示す前記操作情報が取得された場合に、前記オブジェクトの中から前記第２のオブジェクトになりうる候補オブジェクトを検索し、該候補オブジェクトを示す候補オブジェクト情報を出力する、請求項１に記載の情報処理装置。
【請求項３】
前記候補オブジェクト情報は、前記撮像画像および前記オブジェクトに対応する画像が表示される表示部において、前記候補オブジェクトを前記ユーザに認識させるための情報である、請求項２に記載の情報処理装置。
【請求項４】
前記候補オブジェクト情報は、前記表示部において、前記候補オブジェクトに対応する画像を強調表示させるための情報である、請求項３に記載の情報処理装置。
【請求項５】
前記候補オブジェクト情報は、前記表示部において、前記候補オブジェクト以外のオブジェクトに対応する画像を抑制表示させるための情報である、請求項３に記載の情報処理装置。
【請求項６】
前記撮像画像は、前記ユーザを含む領域を俯瞰する視点から撮像される画像を含む、請求項１に記載の情報処理装置。
【請求項７】
前記第１のオブジェクトまたは前記第２のオブジェクトのいずれかは、前記ユーザを示すオブジェクトである、請求項６に記載の情報処理装置。
【請求項８】
前記撮像画像は、異なる視点から撮像される第１の画像および第２の画像を含み、
前記第１のオブジェクトおよび前記第２のオブジェクトは、その一方が前記第１の画像から、他方が前記第２の画像から認識されるオブジェクトである、請求項１に記載の情報処理装置。
【請求項９】
前記第１の情報は、前記第１のオブジェクトに対応するコンテンツであり、
前記第２の情報は、前記第２のオブジェクトに対応するアドレスであり、
前記関連付け部は、前記コンテンツを前記アドレスに送付する、請求項１に記載の情報処理装置。
【請求項１０】
前記第１のオブジェクトは、第１の人物であり、
前記第２のオブジェクトは、第２の人物であり、
前記コンテンツは、前記第１の人物のプロフィール情報である、請求項９に記載の情報処理装置。
【請求項１１】
前記第１のオブジェクトは、第１の人物であり、
前記第２のオブジェクトは、第２の人物であり、
前記関連付け部は、前記第１の人物を前記第２の人物との間のコミュニケーションチャネルを生成する、請求項１に記載の情報処理装置。
【請求項１２】
前記関連付け部は、前記撮像画像および前記オブジェクトに対応する画像が表示される表示部において、前記第１のオブジェクトに対応する画像の表示位置と前記第２のオブジェクトに対応する画像の表示位置とを入れ替える、請求項１に記載の情報処理装置。
【請求項１３】
前記第１のオブジェクトおよび前記第２のオブジェクトを指定する前記ユーザの操作は、前記第１のオブジェクトをドラッグして前記第２のオブジェクトにドロップする操作である、請求項１に記載の情報処理装置。
【請求項１４】
撮像画像から認識されるオブジェクトの中から第１のオブジェクトおよび第２のオブジェクトを指定するユーザの操作を示す操作情報を取得することと、
前記操作情報に基づいて、前記第１のオブジェクトに対応する第１の情報と前記第２のオブジェクトに対応する第２の情報とを関連付けることと
を含む情報処理方法。
【請求項１５】
撮像画像から認識されるオブジェクトの中から第１のオブジェクトおよび第２のオブジェクトを指定するユーザの操作を示す操作情報を取得する機能と、
前記操作情報に基づいて、前記第１のオブジェクトに対応する第１の情報と前記第２のオブジェクトに対応する第２の情報とを関連付ける機能と
をコンピュータに実現させるためのプログラム。
【発明の詳細な説明】
【技術分野】
【０００１】
本開示は、情報処理装置、情報処理方法およびプログラムに関する。
【背景技術】
【０００２】
近年、画像認識技術の進歩によって、例えば実空間を撮像した画像に含まれる様々なオブジェクトを、その位置や姿勢とともに認識することが可能になった。かかるオブジェクト認識の技術は、例えば、実空間の画像に付加的な情報を重畳してユーザに呈示する拡張現実（ＡＲ：Augmented  Reality）と呼ばれる技術などに利用されている。ＡＲ技術の例として、特許文献１には、家具などの現実のオブジェクトを模倣した仮想オブジェクトの画像を実空間の画像に重畳して表示し、家具などの配置の試行を容易にする技術が記載されている。
【先行技術文献】
【特許文献】
【０００３】
【特許文献１】特開２００３−２５６８７６号公報
【発明の概要】
【発明が解決しようとする課題】
【０００４】
上記のようなＡＲ技術を利用すれば、実空間を撮像した画像に含まれる様々なオブジェクトに関する情報を、実空間の画像とともに表示させることが可能である。このような情報の表示は、いわば仮想的な表示であるため、これに対してユーザが何らかの操作を加えるといったことも可能である。しかしながら、このような操作に関連した技術は、まだ十分に提案されているとはいい難い。
【０００５】
そこで、本開示では、画像から認識されるオブジェクトに対するより直感的な操作を可能にする、新規かつ改良された情報処理装置、情報処理方法およびプログラムを提案する。
【課題を解決するための手段】
【０００６】
本開示によれば、撮像画像から認識されるオブジェクトの中から第１のオブジェクトおよび第２のオブジェクトを指定するユーザの操作を示す操作情報を取得する操作情報取得部と、上記操作情報に基づいて、上記第１のオブジェクトに対応する第１の情報と上記第２のオブジェクトに対応する第２の情報とを関連付ける関連付け部とを含む情報処理装置が提供される。
【０００７】
また、本開示によれば、撮像画像から認識されるオブジェクトの中から第１のオブジェクトおよび第２のオブジェクトを指定するユーザの操作を示す操作情報を取得することと、上記操作情報に基づいて、上記第１のオブジェクトに対応する第１の情報と上記第２のオブジェクトに対応する第２の情報とを関連付けることとを含む情報処理方法が提供される。
【０００８】
また、本開示によれば、撮像画像から認識されるオブジェクトの中から第１のオブジェクトおよび第２のオブジェクトを指定するユーザの操作を示す操作情報を取得する機能と、上記操作情報に基づいて、上記第１のオブジェクトに対応する第１の情報と上記第２のオブジェクトに対応する第２の情報とを関連付ける機能とをコンピュータに実現させるためのプログラムが提供される。
【０００９】
上記の構成によれば、画像から認識されるオブジェクト（仮想の情報）を選択することによって、そのオブジェクトに対応する情報（実体の情報）を関連付ける操作を実行することができる。このような操作は、ユーザにとってより直感的である。
【発明の効果】
【００１０】
以上説明したように本開示によれば、画像から認識されるオブジェクトに対するより直感的な操作が可能である。
【図面の簡単な説明】
【００１１】
【図１】本開示の第１の実施形態の概要を示す図である。
【図２】図１の例における撮像画像の例を示す図である。
【図３】本開示の第１の実施形態に係るシステムの機能構成を示す概略的なブロック図である。
【図４】本開示の第１の実施形態における表示画面の例を示す図である。
【図５】本開示の第１の実施形態におけるオブジェクトデータの例を示す図である。
【図６】本開示の第１の実施形態における処理の例を示すフローチャートである。
【図７】本開示の第１の実施形態における候補オブジェクトの表示の第１の例を示す図である。
【図８】本開示の第１の実施形態における候補オブジェクトの表示の第２の例を示す図である。
【図９】本開示の第２の実施形態の概要を示す図である。
【図１０】図９の例における表示画面の例を示す図である。
【図１１】本開示の第２の実施形態に係るシステムの機能構成を示す概略的なブロック図である。
【図１２】情報処理装置のハードウェア構成を説明するためのブロック図である。
【発明を実施するための形態】
【００１２】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１３】
なお、説明は以下の順序で行うものとする。
１．第１の実施形態
１−１．概要
１−２．装置構成
１−３．処理の例
１−４．候補オブジェクトの表示の例
２．第２の実施形態
２−１．概要
２−２．装置構成
３．他の実施形態
４．補足
【００１４】
（１．第１の実施形態）
（１−１．概要）
まず、図１および図２を参照して、本開示の第１の実施形態の概要について説明する。図１は、本実施形態の概要を示す図である。図２は、図１の例における撮像画像の例を示す図である。
【００１５】
図１を参照すると、本実施形態は、サーバ装置１００（情報処理装置の一例）と、俯瞰カメラ２００と、端末装置３００とに関連する。サーバ装置１００は、俯瞰カメラ２００から撮像画像を取得し、撮像画像についてのオブジェクト認識結果を端末装置３００に提供する。端末装置３００は、オブジェクト認識結果を含む撮像画像に対するユーザＵの操作情報を取得し、これをサーバ装置１００に提供する。図２を参照すると、俯瞰カメラ２００の撮像画像には、例えば端末装置３００を保持しているユーザＵを含む領域を俯瞰する視点から撮像される画像でありうる。
【００１６】
（１−２．装置構成）
次に、図３を参照して、本開示の第１の実施形態の装置構成について説明する。図３は、本実施形態に係るシステムの機能構成を示す概略的なブロック図である。
【００１７】
（サーバ装置の構成）
図３を参照すると、サーバ装置１００は、撮像画像取得部１１０と、オブジェクト認識部１２０と、操作情報取得部１３０と、関連付け部１４０と、オブジェクトＤＢ１５０とを含む。撮像画像取得部１１０、オブジェクト認識部１２０、操作情報取得部１３０、および関連付け部１４０は、例えば、サーバ装置１００のＣＰＵ（Central  Processing  Unit）、ＲＡＭ（Random  Access  Memory）、およびＲＯＭ（Read  Only  Memory）が記憶部に格納されたプログラムに従って動作することによって実現される。また、オブジェクトＤＢ１５０は、例えば、サーバ装置１００の内部または外部の各種ストレージ装置などによって実現される。
【００１８】
なお、サーバ装置１００は、必ずしも単一の装置によって実現されなくてもよい。例えば、複数の装置が有するリソースがネットワークを介して協働することによってサーバ装置の機能が実現されてもよい。
【００１９】
撮像画像取得部１１０は、俯瞰カメラ２００によって取得された撮像画像の画像データを取得する。撮像画像取得部１１０は、取得した画像データをオブジェクト認識部１２０に提供する。また、撮像画像取得部１１０は、取得した画像データを、実空間の画像として表示させるために端末装置３００に送信する。
【００２０】
オブジェクト認識部１２０は、撮像画像取得部１１０から提供された画像データを用いて、撮像画像に含まれるオブジェクトを認識する。例えば、オブジェクト認識部１２０は、撮像画像から抽出される特徴点のセットを、モデルデータによって定義されるオブジェクトの形状と照合する。また、オブジェクト認識部１２０は、モデルデータによって定義されるシンボルマークまたはテキストラベルなどの画像データを、撮像画像と照合してもよい。さらにまた、オブジェクト認識部１２０は、モデルデータによって定義される既知のオブジェクトの画像の特徴量を、撮像画像から抽出される特徴量と照合してもよい。
【００２１】
なお、モデルデータは、各オブジェクトの形状を定義するデータ、各オブジェクトに付される所定のシンボルマークもしくはテキストラベルなどの画像データ、または各オブジェクトについて既知の画像から抽出された特徴量セットのデータなどを含む。モデルデータは、例えばオブジェクトＤＢ１５０を参照することによって取得される。
【００２２】
ここで、オブジェクト認識部１２０は、オブジェクト認識の結果の情報を、端末装置３００に送信する。オブジェクト認識の結果の情報は、例えば、認識されたオブジェクトを識別するための情報と、それらのオブジェクトの撮像画像における位置および姿勢（傾き、回転など）の情報を含む。さらに、オブジェクト認識の結果の情報は、認識されたオブジェクトに対応して表示させるグラフィックの情報を含んでもよい。
【００２３】
操作情報取得部１３０は、端末装置３００が取得したユーザＵの操作の情報を取得する。ここで取得されるユーザＵの操作は、後述するように、オブジェクト認識部１２０によって認識される第１および第２のオブジェクトを指定する操作でありうる。操作情報取得部１３０は、取得したユーザＵの操作の情報を、関連付け部１４０に提供する。
【００２４】
関連付け部１４０は、操作情報取得部１３０から提供されたユーザＵの操作に関する情報に基づいて、オブジェクト認識部１２０によって認識された第１および第２のオブジェクトに対応する情報を関連付ける。より具体的には、関連付け部１４０は、オブジェクト認識部１２０によって認識された第１および第２のオブジェクトに対応する情報が、互いに関連付けることが可能である場合に、それらのオブジェクトを指定するユーザＵの操作が取得されれば、それらの情報を関連付ける。
【００２５】
ここで、関連付け部１４０は、例えばオブジェクトＤＢ１５０を参照して、各オブジェクトに対応する情報を取得してもよい。また、関連付け部１４０は、各オブジェクトに対応する情報を関連付けた結果として、オブジェクトＤＢ１５０の内容を更新してもよい。また、関連付け部１４０は、関連付けの処理の結果を示す情報、または、関連付けに関するユーザＵの操作を補助する情報を、端末装置３００に送信してもよい。
【００２６】
（俯瞰カメラの構成）
引き続き図３を参照すると、俯瞰カメラ２００は、撮像部２１０を含む。なお、俯瞰カメラ２００は、この他に、例えばサーバ装置１００との通信のための通信回路などを適宜含む。
【００２７】
撮像部２１０は、例えば俯瞰カメラ２００に内蔵される撮像装置によって実現され、実空間の撮像画像を生成する。撮像部２１０は、動画像を撮像してもよいし、静止画像を撮像してもよい。撮像部２１０は、生成した撮像画像の画像データを、サーバ装置１００に送信する。
【００２８】
（端末装置の構成）
引き続き図３を参照すると、端末装置３００は、操作部３１０と、表示制御部３２０と、表示部３３０とを含む。なお、端末装置３００は、この他に、例えばサーバ装置１００との通信のための通信回路などを適宜含む。
【００２９】
操作部３１０は、例えばタッチパネルやボタンなど、端末装置３００に設けられる、または端末装置３００に外部接続機器として接続される各種の入力装置によって実現され、端末装置３００に対するユーザＵの操作を取得する。操作部３１０は、例えば、表示部３３０に表示されている表示画像において、オブジェクト認識の結果として表示される第１および第２のオブジェクトを指定するユーザＵの操作を取得する。操作部３１０は、取得したユーザＵの操作の情報を、サーバ装置１００に送信する。なお、本実施形態では、操作部３１０が少なくともタッチパネルを含むものとする。
【００３０】
表示制御部３２０は、例えば端末装置３００のＣＰＵ、ＲＡＭ、およびＲＯＭが記憶部に格納されたプログラムに従って動作することによって実現され、表示部３３０の表示を制御する。表示制御部３２０は、表示部３３０に画像を表示させるための情報を、サーバ装置１００から受信する。表示制御部３２０は、例えば、撮像画像取得部１１０によって送信される、俯瞰カメラ２００によって取得された撮像画像の画像データを受信する。また、表示制御部３２０は、オブジェクト認識部１２０によって送信される、撮像画像についてのオブジェクト認識の結果の情報を受信する。さらに、表示制御部３２０は、関連付け部１４０によって送信される、関連付けに関するユーザＵの操作を補助する情報を受信する。
【００３１】
表示部３３０は、例えば端末装置３００が出力装置として有する、あるいは端末装置３００に外部接続機器として接続される、ＬＣＤ（Liquid  Crystal  Display）や有機ＥＬ（Electro-luminescence）ディスプレイなどのディスプレイによって実現される。表示部３３０は、表示制御部３２０の制御に従って、各種の画像を表示する。なお、表示部３３０に表示される画像の例については、後述する。
【００３２】
（１−３．処理の例）
次に、図４〜図６を参照して、本開示の第１の実施形態における処理の例について説明する。図４は、本実施形態における表示画面の例を示す図である。図５は、本実施形態におけるオブジェクトデータの例を示す図である。図６は、本実施形態における処理の例を示すフローチャートである。
【００３３】
（表示画面の例）
図４を参照すると、本実施形態において端末装置３００の表示部３３０に表示される表示画面３３１には、看板オブジェクト５０１ａ〜５０１ｃと、人物オブジェクト５０３ａ〜５０３ｅとが含まれる。これらのオブジェクトは、いずれも、サーバ装置１００によって、撮像画像に含まれるオブジェクトとして認識される。また、これらのオブジェクトの表示は、撮像画像の画像データがそのまま描画されたものであってもよいし、それぞれのオブジェクトに対応するグラフィックが、それぞれのオブジェクトの位置および姿勢に応じて描画されたものであってもよい。なお、人物オブジェクト５０３ｂは、端末装置３００を保持するユーザＵ自身である。
【００３４】
このような表示画面３３１が表示されている場合に、例えば、ユーザＵは、端末装置３００の操作部３１０に含まれるタッチパネルを介して、看板オブジェクト５０１ａ（第１のオブジェクトの一例）をドラッグして、人物オブジェクト５０３ｂ（第２のオブジェクトの一例）にドロップする操作を実行することが可能である。このような操作を、本明細書では、「第１のオブジェクトおよび第２のオブジェクトを指定する操作」ともいう。この操作は、ドラッグ＆ドロップの操作には限られず、例えば、タッチまたはタップによって看板オブジェクト５０１ａと人物オブジェクト５０３ｂとを順次選択する操作や、看板オブジェクト５０１ａを人物オブジェクト５０３ｂに向かってフリックする操作などであってもよい。
【００３５】
上記のように、看板オブジェクト５０１ａと人物オブジェクト５０３ｂとを指定する操作が取得された場合、操作情報取得部１３０を介してこの操作の情報を取得したサーバ装置１００の関連付け部１４０は、これらのオブジェクトに対応する情報を関連付ける。例えば、図４の例では、看板オブジェクト５０１ａが音楽ソフト「ＸＸ  ｔｈｅ  ＢＥＳＴ」の広告であり、人物オブジェクト５０３ｂがユーザＵ本人である。そこで、関連付け部１４０は、ユーザＵに、音楽ソフト「ＸＸ  ｔｈｅ  ＢＥＳＴ」の試聴音源のファイルを送信する。
【００３６】
（オブジェクトに対応する情報の例）
図５には、「オブジェクトに対応する情報」の例として、オブジェクトデータ１５１が示されている。図示された例において、オブジェクトデータ１５１には、看板オブジェクト５０１ａ〜５０１ｃに対応するデータｄ＿５０１ａ〜ｄ＿５０１ｃと、人物オブジェクト５０３ａ〜５０３ｅに対応するデータｄ＿５０３ａ〜ｄ＿５０３ｅとが含まれる。なお、ここでは、簡単のために、図４の例で認識されているオブジェクトに対応するデータのみを図示したが、実際には、オブジェクトデータ１５１は、認識されていないオブジェクトに対応するデータをも含む。
【００３７】
図示された例において、オブジェクトデータ１５１は、「ＩＤ」「オブジェクト名」、「属性」、「コンテンツ」、「アドレス」、「動作Ａ」、「動作Ｂ」の項目を含む。
【００３８】
「ＩＤ」は、それぞれのオブジェクトに割り当てられる一意なＩＤである。
【００３９】
「オブジェクト名」は、それぞれのオブジェクトの名称である。図示された例では、看板オブジェクト５０１ａ〜５０１ｃについては「ＸＸ  ｔｈｅ  ＢＥＳＴ」、「レストランＹＹ」のような広告対象の名称が、人物オブジェクト５０３ａ〜５０３ｅについては「キャロル」、「あなた」のようなその人物の名称が、それぞれ設定される。「オブジェクト名」は、例えば図４に示されるように、認識されたオブジェクトに対応する位置に表示されてもよい。
【００４０】
「属性」は、それぞれのオブジェクトの属性を示す。図示された例では、看板オブジェクト５０１ａ〜５０１ｃについては「音楽ソフト」、「飲食店」のような広告対象のジャンルが、人物オブジェクト５０３ａ〜５０３ｅについては「友人」、「本人」のようなその人物とユーザＵとの関係が、それぞれ設定される。
【００４１】
「コンテンツ」は、それぞれのオブジェクトに対応するコンテンツである。看板オブジェクト５０１では、それぞれの広告内容に対応するコンテンツが設定されている。例えば、音楽ソフトの広告である看板オブジェクト５０１ａの場合、音楽ソフトの試聴音源のファイル「ｌｉｓｔｅｎＭｅ．ｍｐ３」が「コンテンツ」に設定される。また、飲食店の広告である看板オブジェクト５０１ｂの場合、飲食店のクーポンの画像ファイル「ｃｏｕｐｏｎ．ｊｐｇ」が「コンテンツ」に設定される。旅行代理店の広告である看板オブジェクト５０１ｃの場合、広告のＷｅｂページへのリンクファイル「ｚｚＴｏｕｒ．ｌｎｋ」が「コンテンツ」に設定される。
【００４２】
また、「コンテンツ」は、人物オブジェクト５０３について設定されてもよい。図示された例では、人物オブジェクト５０３ａ〜５０３ｅについて、「ｃａｒｏｌ．ｖｃｆ」などのそれぞれの人物のプロフィール情報が「コンテンツ」に設定されている。
【００４３】
「アドレス」は、人物オブジェクト５０３について設定される。図示された例では、人物オブジェクト５０３ａ〜５０３ｅについて、それぞれの人物のメールアドレスが「アドレス」に設定されている。
【００４４】
「動作Ａ」は、それぞれのオブジェクトがドラッグ元のオブジェクト（第１のオブジェクト）として選択された場合の動作を示す情報である。図示された例では、看板オブジェクト５０１、および人物オブジェクト５０３ａ〜５０３ｄについて、「『コンテンツ』をドロップ先に送信」が設定される。なお、人物オブジェクト５０３ｅ（ロジャー）については、「動作Ａ」が設定されない。このように、「動作Ａ」は、オブジェクトの種類、またはオブジェクトに対応する実体とユーザＵとの関係（許可の有無など）によって、必ずしも設定されない場合がある。
【００４５】
一方、「動作Ｂ」は、それぞれのオブジェクトがドロップ先のオブジェクト（第２のオブジェクト）として選択された場合の動作を示す情報である。図示された例では、人物オブジェクト５０３ａ〜５０３ｄについて、「ドラッグ元からの送信を『アドレス』で受信」が設定される。なお、看板オブジェクト５０１、および人物オブジェクト５０３ｅ（ロジャー）については、「動作Ｂ」が設定されない。このように、「動作Ｂ」も、オブジェクトの種類、またはオブジェクトに対応する実体とユーザＵとの関係（許可の有無など）によって、必ずしも設定されない場合がある。
【００４６】
本実施形態では、上記のようなオブジェクトデータ１５１における「動作Ａ」および「動作Ｂ」の設定に従って、関連付け部１４０が、ユーザＵの操作によって指定された第１および第２のオブジェクトに対応する情報を関連付ける。
【００４７】
例えば、第１のオブジェクトとして人物オブジェクト５０３ｄ（ジョン）が選択され、第２のオブジェクトとして人物オブジェクト５０３ａ（キャロル）が選択されたとする。この場合、関連付け部１４０は、データｄ＿５０３ｄの「動作Ａ」と、データｄ＿５０３ａの「動作Ｂ」を参照し、「人物オブジェクト５０３ｄに対応する『コンテンツ』（つまりプロフィール情報）を人物オブジェクト５０３ａに対応する『アドレス』に送信する」ことによって、人物オブジェクト５０３ｄに対応する情報と人物オブジェクト５０３ａに対応する情報とを関連付ける。
【００４８】
この例では、結果として、ジョン（人物オブジェクト５０３ｄ）のプロフィール情報「ｊｏｈｎ．ｖｃｆ」が、キャロル（人物オブジェクト５０３ａ）のアドレス「ｃａｒｏｌ＠ａｄｄ．ｒｅｓｓ」に送信される。もちろん、この場合、関連付け部１４０は、プロフィール情報の送信の可否を人物オブジェクト５０３ｄに対応する人物（ジョン）に問い合わせるなどの付加的な処理を実行してもよい。
【００４９】
以上で説明したようなオブジェクトデータ１５１は、例えば、サーバ装置１００のオブジェクトＤＢ１５０に格納される。オブジェクトデータ１５１は、オブジェクトを認識するためのモデルデータや、オブジェクトが認識された場合に表示されるグラフィックのデータに関連付けられていてもよい。また、オブジェクトデータ１５１は、例えば、それぞれのユーザＵについて個別に生成されてもよい。また、オブジェクトデータ１５１は、複数のユーザＵによって共用され、人物のデータなどにはユーザＵごとにアクセス許可が設定されてもよい。
【００５０】
（処理フローの例）
図６には、図４のようなユーザＵの操作が実行される場合の、サーバ装置１００の関連付け部１４０の処理フローが示されている。なお、上述のように、この例において、端末装置３００は操作部３１０としてタッチパネルを含み、第１および第２のオブジェクトを選択するユーザＵの操作は、タッチパネルを用いたドラッグ＆ドロップ操作である。
【００５１】
まず、関連付け部１４０は、操作情報取得部１３０から提供される情報に含まれるタッチダウン時の座標（ユーザの接触が開始された位置の座標）を用いて、ドラッグ元のオブジェクトを検索する（ステップＳ１０１）。このとき、関連付け部１４０は、オブジェクト認識部１２０によって認識されたオブジェクトの情報（オブジェクトの位置の情報を含む）と、オブジェクトＤＢ１５０に格納されたオブジェクトデータ１５１とを参照する。
【００５２】
次に、関連付け部１４０は、ドラッグ可能なオブジェクト（第１のオブジェクトになりうるオブジェクト）が発見されたか否かを判定する（ステップＳ１０３）。ここで、「ドラッグ可能なオブジェクト」とは、そのオブジェクトが第１のオブジェクトとして指定され、別のオブジェクトが第２のオブジェクトとして指定された場合に、それらのオブジェクトの間で何らかの情報の関連付けが可能であるようなオブジェクトである。図４および図５に示される例では、オブジェクトデータ１５１で「動作Ａ」が設定されているオブジェクト、すなわち看板オブジェクト５０１ａ〜５０１ｃ、および人物オブジェクト５０３ａ〜５０３ｄが、「ドラッグ可能なオブジェクト」に該当する。
【００５３】
ステップＳ１０３において、ドラッグ可能なオブジェクトが発見された場合、関連付け部１４０は、端末装置３００の表示制御部３２０にドロップ先候補のオブジェクトの情報（候補オブジェクト情報）を送信し、表示部３３０に表示される表示画面３３１においてドロップ先候補のオブジェクトを強調表示させてもよい（ステップＳ１０５）。この強調表示によって、ドロップ先候補のオブジェクトはユーザに容易に認識されうる。ドロップ先候補オブジェクトは、例えば、オブジェクトデータ１５１で「動作Ｂ」が設定されているオブジェクトである。なお、ここでの表示の例については、後述する。
【００５４】
次に、関連付け部１４０は、操作情報取得部１３０から提供されるタッチアップ時の座標（ユーザの接触が解除された位置の座標）を用いて、ドロップ先のオブジェクトを検索する。（ステップＳ１０７）。このとき、関連付け部１４０は、オブジェクト認識部１２０によって認識されたオブジェクトの情報（オブジェクトの位置の情報を含む）と、オブジェクトＤＢ１５０に格納されたオブジェクトデータ１５１とを再び参照する。
【００５５】
次に、関連付け部１４０は、ドロップ可能なオブジェクト（第２のオブジェクトになりうるオブジェクト）が発見されたか否かを判定する（ステップＳ１０９）。ここで、「ドロップ可能なオブジェクト」とは、別のオブジェクトが第１のオブジェクトとして指定され、そのオブジェクトが第２のオブジェクトとして指定された場合に、それらのオブジェクトの間で何らかの情報の関連付けが可能であるようなオブジェクトである。図４および図５に示される例では、オブジェクトデータ１５１で「動作Ｂ」が設定されているオブジェクト、すなわち人物オブジェクト５０３ａ〜５０３ｄが、「ドロップ可能なオブジェクト」に該当する。
【００５６】
ステップＳ１０９において、ドロップ可能なオブジェクトが発見された場合、関連付け部１４０は、ドラッグ＆ドロップ処理を実行する（ステップＳ１１１）。このドラッグ＆ドロップ処理は、ドラッグ元およびドロップ先として指定された２つのオブジェクトに対応する情報を関連付ける処理である。上述のように、関連付け部１４０は、オブジェクトデータ１５１における「動作Ａ」および「動作Ｂ」の設定に従って、この処理を実行する。
【００５７】
一方、ステップＳ１０３でドラッグ可能なオブジェクトが発見されなかった場合、およびステップＳ１０９においてドロップ可能なオブジェクトが発見されなかった場合、関連付け部１４０は、エラー処理を実行する（ステップＳ１１３）。エラー処理は、例えば、表示制御部３２０にエラー処理に関する情報を送信して、表示部３３０にエラーメッセージなどを表示させる処理であってもよい。また、エラー処理は、一連のドラッグ＆ドロップの処理を単に無視することであってもよい。さらに、関連付け部１４０は、ドラッグ元またはドロップ先のオブジェクトの再検索を実行してもよい。
【００５８】
（１−４．候補オブジェクトの表示の例）
次に、図７および図８を参照して、本開示の第１の実施形態におけるドロップ先候補オブジェクトの表示の例について説明する。図７は、本実施形態における候補オブジェクトの表示の第１の例を示す図である。図８は、本実施形態における候補オブジェクトの表示の第２の例を示す図である。
【００５９】
上述のように、本実施形態では、ドラッグ操作によって第１のオブジェクトが指定された場合に、サーバ装置１００の関連付け部１４０が、端末装置３００の表示制御部３２０にドロップ先候補のオブジェクトの情報（候補オブジェクト情報）を送信し、表示部３３０の表示においてドロップ先候補のオブジェクトをユーザに認識させる。以下では、このような表示の２つの例について説明する。
【００６０】
図７に示される第１の例では、表示制御部３２０が、表示画面３３１において、ドロップ先候補である人物オブジェクト５０３ａ〜５０３ｄを、例えば枠囲みなどによって強調表示する。このような表示によって、表示画面３３１に対してドラッグ＆ドロップ操作を実行中のユーザＵは、どのオブジェクトがドロップ先になりうるのかを容易に把握することができる。
【００６１】
図８に示される第２の例では、表示制御部３２０が、表示画面３３１において、ドロップ先候補である人物オブジェクト５０３ａ〜５０３ｄ以外のオブジェクトをグレーアウトしたり、名称を非表示にしたりすることによって抑制表示する。このような表示によっても、表示画面３３１に対してドラッグ＆ドロップ操作を実行中のユーザＵは、どのオブジェクトがドロップ先になりうるのかを容易に把握することができる。
【００６２】
以上で説明した本開示の第１の実施形態によれば、例えば、撮像画像に含まれるオブジェクトを指定する操作によって、各オブジェクトに対応する情報を関連付ける操作を容易に実行することができる。また、第１のオブジェクト（例えばドラッグ元のオブジェクト）が指定された場合に、これに対応する第２のオブジェクト（例えばドロップ先のオブジェクト）を強調表示する構成によれば、ユーザが実行可能な処理およびその対象を容易に把握することができる。
【００６３】
（２．第２の実施形態）
（２−１．概要）
次に、図９および図１０を参照して、本開示の第２の実施形態の概要について説明する。図９は、本実施形態の概要を示す図である。図１０は、図９の例における表示画面の例を示す図である。
【００６４】
図９を参照すると、本実施形態は、サーバ装置１００（情報処理装置の一例）と、俯瞰カメラ２００と、端末装置４００とに関連する。サーバ装置１００および俯瞰カメラ２００は、上記の第１の実施形態と同様の構成を有する。端末装置４００は、第１の実施形態の端末装置３００とほぼ同様の構成を有するが、端末装置４００自身も撮像部によって撮像画像を取得し、この撮像画像をサーバ装置１００に送信する点で異なる。
【００６５】
図１０に示されるように、本実施形態において端末装置４００の表示部３３０に表示される表示画面４３１は、２つのサブ画面４３１ａ，４３１ｂを含む。図示された例において、サブ画面４３１ａは、俯瞰カメラ２００で取得された第１の撮像画像に対応する。一方、サブ画面４３１ｂは、端末装置４００で取得された第２の撮像画像に対応する。
【００６６】
この場合、ユーザＵは、表示画面４３１上で、２つのサブ画面４３１ａ，４３１ｂをまたぐドラッグ＆ドロップ動作を実行することが可能である。本実施形態において、サーバ装置１００のオブジェクト認識部１２０は、上記の第１および第２の撮像画像の両方についてオブジェクトの認識処理を実行する。その結果として認識されたオブジェクトについて、ユーザＵは、それがいずれの画像に含まれるかに関わらず、第１または第２のオブジェクトとして指定する操作を実行することが可能である。
【００６７】
例えば、図示されているように、ユーザＵは、サブ画面４３１ａに表示されている看板オブジェクト５０１ａをドラッグして、サブ画面４３１ｂに表示されている人物オブジェクト５０３ｆにドロップする操作を実行してもよい。この場合、オブジェクトデータ１５１において、看板オブジェクト５０１ａについて「動作Ａ」が設定され、人物オブジェクト５０３ｆ（ルーシー）について「動作Ｂ」が設定されていれば、関連付け部１４０は、それぞれのオブジェクトに対応する情報を関連付ける処理、例えば看板オブジェクト５０１ａの広告対象の音楽コンテンツの試聴音源をルーシーのメールアドレスに送信する処理を実行する。
【００６８】
（２−２．装置構成）
次に、図１１を参照して、本開示の第２の実施形態の装置構成について説明する。図１１は、本実施形態に係るシステムの機能構成を示す概略的なブロック図である。
【００６９】
上述のように、本実施形態では、サーバ装置１００および俯瞰カメラ２００の構成は上記の第１の実施形態と同様であり、端末装置４００は、撮像画像をサーバ装置１００に送信する点で、第１の実施形態の端末装置３００とは異なる。このため、端末装置４００は、上記の端末装置３００と同様の構成要素に加えて、撮像部４４０を含む。
【００７０】
撮像部４４０は、例えば端末装置４００に内蔵される、または端末装置４００に接続される撮像装置によって実現され、実空間の撮像画像を生成する。撮像部４４０は、動画像を撮像してもよいし、静止画像を撮像してもよい。撮像部４４０は、生成した撮像画像の画像データを、表示制御部３２０に提供し、またサーバ装置１００に送信する。
【００７１】
サーバ装置１００の撮像画像取得部１１０は、俯瞰カメラ２００から送信される撮像画像に加えて、端末装置４００から送信される撮像画像を取得する。オブジェクト認識部１２０以降の処理は、処理の対象がこれらの２つの撮像画像である点を除けば、上記の第１の実施形態と同様である。
【００７２】
また、本実施形態における処理の例、および強調表示の例についても、指定されるオブジェクトが複数の撮像画像にまたがって存在する可能性がある点を除けば、上記の第１の実施形態と同様であるため、重複した詳細な説明は省略する。
【００７３】
以上で説明した本開示の第２の実施形態によれば、複数の撮像画像が取得される場合であっても、それぞれの撮像画像に含まれるオブジェクトを指定する操作によって、各オブジェクトに対応する情報を関連付ける操作を容易に実行することができる。
【００７４】
（３．他の実施形態）
なお、本開示の実施形態は、上記で説明した以外にも、以下にその一例を示すように、さまざまな変形が可能である。
【００７５】
例えば、上記の実施形態で説明された「第１および第２のオブジェクトにそれぞれ対応する情報を関連付ける処理」は、他にも様々な処理でありうる。
【００７６】
この処理は、第１および第２のオブジェクトの表示位置を入れ替える処理であってもよい。これによって、ユーザは、例えば看板オブジェクトについて、より興味のあるオブジェクトがより見やすい位置に表示されるように、オブジェクト間の位置を調整することができる。
【００７７】
また、この処理は、第１のオブジェクトに関連する情報を第２のオブジェクトに送信する処理であってもよい（逆に、第２のオブジェクトに関連する情報を第１のオブジェクトに送信してもよい）。送信される情報は、上記の実施形態で説明された画像、リンク、音楽、プロフィールなどの他にも、あらゆる種類の情報でありうる。
【００７８】
また、この処理は、第１および第２のオブジェクトとして指定された人物の間にコネクションを生成する処理であってもよい。例えば、この処理によって、第１および第２のオブジェクトに対応する人物（これにユーザ自身を加えてもよい）が参加するネットワーク上のチャットルームなどのコミュニケーションチャネルが生成されてもよい。あるいは、この処理によって、第１のオブジェクトとして指定された人物から第２のオブジェクトとして指定された人物に、ＳＮＳ（Social  Network  Service）の友人申請が送信されてもよい。
【００７９】
上記の実施形態では、第１および第２のオブジェクトとして、いずれも画像から認識されたオブジェクトが指定されたが、第１または第２のオブジェクトのいずれかは、画像から認識されたオブジェクトではないオブジェクト、つまりアイコンであってもよい。例えば、表示画面上には、撮像画像および認識されたオブジェクトとともに、ユーザＵ自身を示すアイコンが表示され、任意のオブジェクトとアイコンとを指定することによって、指定されたオブジェクトに関する情報がユーザに送信される処理が実行されてもよい。
【００８０】
また、上記の実施形態では、撮像画像が俯瞰カメラから取得されたが、本開示の実施形態はこの例には限られない。既に説明したように、撮像画像は端末装置によっても取得されうる。また、俯瞰カメラの撮像画像を用いることなく、端末装置が取得した撮像画像について、オブジェクトが認識され、ユーザによるオブジェクトの指定が実行されてもよい。
【００８１】
上記の説明では、主に情報処理装置に係る本開示の実施形態を紹介したが、例えばこれらの情報処理装置において実行される方法、情報処理装置に機能を実現されるためのプログラム、およびかかるプログラムを記録した記録媒体も、本開示の実施形態として実現されうる。
【００８２】
また、上記の説明では、サーバ装置が情報処理装置として機能する例について説明したが、例えば端末装置または俯瞰カメラが情報処理装置として機能してもよい。
【００８３】
（４．補足）
最後に、図１２を参照して、本開示の実施形態に係るサーバ装置１００、俯瞰カメラ２００、および端末装置３００，４００を実現しうる情報処理装置９００のハードウェア構成について説明する。図１２は、情報処理装置のハードウェア構成を説明するためのブロック図である。
【００８４】
情報処理装置９００は、ＣＰＵ（Central  Processing  unit）９０１、ＲＯＭ（Read  Only  Memory）９０３、およびＲＡＭ（Random  Access  Memory）９０５を含む。さらに、情報処理装置９００は、ホストバス９０７、ブリッジ９０９、外部バス９１１、インターフェース９１３、入力装置９１５、出力装置９１７、ストレージ装置９１９、ドライブ９２１、接続ポート９２３、および通信装置９２５を含んでもよい。情報処理装置９００は、ＣＰＵ９０１に代えて、またはこれとともに、ＤＳＰ（Digital  Signal  Processor）などの処理回路を有してもよい。
【００８５】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、情報処理装置９００内の動作全般またはその一部を制御する。ＲＯＭ９０３は、ＣＰＵ９０１が使用するプログラムや演算パラメータなどを記憶する。ＲＡＭ９０５は、ＣＰＵ９０１の実行において使用するプログラムや、その実行において適宜変化するパラメータなどを一次記憶する。ＣＰＵ９０１、ＲＯＭ９０３、およびＲＡＭ９０５は、ＣＰＵバスなどの内部バスにより構成されるホストバス９０７により相互に接続されている。さらに、ホストバス９０７は、ブリッジ９０９を介して、ＰＣＩ（Peripheral  Component  Interconnect/Interface）バスなどの外部バス９１１に接続されている。
【００８６】
入力装置９１５は、例えば、マウス、キーボード、タッチパネル、ボタン、スイッチおよびレバーなど、ユーザによって操作される装置である。入力装置９１５は、例えば、赤外線やその他の電波を利用したリモートコントロール装置であってもよいし、情報処理装置９００の操作に対応した携帯電話などの外部接続機器９２９であってもよい。入力装置９１５は、ユーザが入力した情報に基づいて入力信号を生成してＣＰＵ９０１に出力する入力制御回路を含む。ユーザは、この入力装置９１５を操作することによって、情報処理装置９００に対して各種のデータを入力したり処理動作を指示したりする。
【００８７】
出力装置９１７は、取得した情報をユーザに対して視覚的または聴覚的に通知することが可能な装置で構成される。出力装置９１７は、例えば、ＬＣＤ（Liquid  Crystal  Display）、ＰＤＰ（Plasma  Display  Panel）、有機ＥＬ（Electro-Luminescence）ディスプレイなどの表示装置、スピーカおよびヘッドホンなどの音声出力装置、ならびにプリンタ装置などでありうる。出力装置９１７は、情報処理装置９００の処理により得られた結果を、テキストまたは画像などの映像として出力したり、音声または音響などの音声として出力したりする。
【００８８】
ストレージ装置９１９は、情報処理装置９００の記憶部の一例として構成されたデータ格納用の装置である。ストレージ装置９１９は、例えば、ＨＤＤ（Hard  Disk  Drive）などの磁気記憶部デバイス、半導体記憶デバイス、光記憶デバイス、または光磁気記憶デバイスなどにより構成される。このストレージ装置９１９は、ＣＰＵ９０１が実行するプログラムや各種データ、および外部から取得した各種のデータなどを格納する。
【００８９】
ドライブ９２１は、磁気ディスク、光ディスク、光磁気ディスク、または半導体メモリなどのリムーバブル記録媒体９２７のためのリーダライタであり、情報処理装置９００に内蔵、あるいは外付けされる。ドライブ９２１は、装着されているリムーバブル記録媒体９２７に記録されている情報を読み出して、ＲＡＭ９０５に出力する。また、ドライブ９２１は、装着されているリムーバブル記録媒体９２７に記録を書き込む。
【００９０】
接続ポート９２３は、機器を情報処理装置９００に直接接続するためのポートである。接続ポート９２３は、例えば、ＵＳＢ（Universal  Serial  Bus）ポート、ＩＥＥＥ１３９４ポート、ＳＣＳＩ（Small  Computer  System  Interface）ポートなどでありうる。また、接続ポート９２３は、ＲＳ−２３２Ｃポート、光オーディオ端子、ＨＤＭＩ（High-Definition  Multimedia  Interface）ポートなどであってもよい。接続ポート９２３に外部接続機器９２９を接続することで、情報処理装置９００と外部接続機器９２９との間で各種のデータが交換されうる。
【００９１】
通信装置９２５は、例えば、通信ネットワーク９３１に接続するための通信デバイスなどで構成された通信インターフェースである。通信装置９２５は、例えば、有線または無線ＬＡＮ（Local  Area  Network）、Ｂｌｕｅｔｏｏｔｈ（登録商標）、またはＷＵＳＢ（Wireless  USB）用の通信カードなどでありうる。また、通信装置９２５は、光通信用のルータ、ＡＤＳＬ（Asymmetric  Digital  Subscriber  Line）用のルータ、または、各種通信用のモデムなどであってもよい。通信装置９２５は、例えば、インターネットや他の通信機器との間で、ＴＣＰ／ＩＰなどの所定のプロトコルを用いて信号などを送受信する。また、通信装置９２５に接続される通信ネットワーク９３１は、有線または無線によって接続されたネットワークであり、例えば、インターネット、家庭内ＬＡＮ、赤外線通信、ラジオ波通信または衛星通信などである。
【００９２】
撮像装置９３３は、例えば、ＣＣＤ（Charge  Coupled  Device）またはＣＭＯＳ（Complementary  Metal  Oxide  Semiconductor）などの撮像素子、および撮像素子への被写体像の結像を制御するためのレンズなどの各種の部材を用いて実空間を撮像し、撮像画像を生成する装置である。撮像装置９３３は、静止画を撮像するものであってもよいし、また動画を撮像するものであってもよい。
【００９３】
センサ９３５は、例えば、加速度センサ、ジャイロセンサ、地磁気センサ、光センサ、音センサなどの各種のセンサである。センサ９３５は、例えば情報処理装置９００の筐体の姿勢など、情報処理装置９００自体の状態に関する情報や、情報処理装置９００の周辺の明るさや騒音など、情報処理装置９００の周辺環境に関する情報を取得する。また、センサ９３５は、ＧＰＳ（Global  Positioning  System）信号を受信して装置の緯度、経度および高度を測定するＧＰＳセンサを含んでもよい。
【００９４】
以上、情報処理装置９００のハードウェア構成の一例を示した。上記の各構成要素は、汎用的な部材を用いて構成されていてもよいし、各構成要素の機能に特化したハードウェアにより構成されていてもよい。かかる構成は、実施する時々の技術レベルに応じて適宜変更されうる。
【００９５】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９６】
なお、以下のような構成も本開示の技術的範囲に属する。
（１）撮像画像から認識されるオブジェクトの中から第１のオブジェクトおよび第２のオブジェクトを指定するユーザの操作を示す操作情報を取得する操作情報取得部と、
前記操作情報に基づいて、前記第１のオブジェクトに対応する第１の情報と前記第２のオブジェクトに対応する第２の情報とを関連付ける関連付け部と
を備える情報処理装置。
（２）前記関連付け部は、前記第１のオブジェクトを指定する前記ユーザの操作を示す前記操作情報が取得された場合に、前記オブジェクトの中から前記第２のオブジェクトになりうる候補オブジェクトを検索し、該候補オブジェクトを示す候補オブジェクト情報を出力する、前記（１）に記載の情報処理装置。
（３）前記候補オブジェクト情報は、前記撮像画像および前記オブジェクトに対応する画像が表示される表示部において、前記候補オブジェクトを前記ユーザに認識させるための情報である、前記（２）に記載の情報処理装置。
（４）前記候補オブジェクト情報は、前記表示部において、前記候補オブジェクトに対応する画像を強調表示させるための情報である、前記（３）に記載の情報処理装置。
（５）前記候補オブジェクト情報は、前記表示部において、前記候補オブジェクト以外のオブジェクトに対応する画像を抑制表示させるための情報である、前記（３）に記載の情報処理装置。
（６）前記撮像画像は、前記ユーザを含む領域を俯瞰する視点から撮像される画像を含む、前記（１）〜（５）のいずれか１項に記載の情報処理装置。
（７）前記第１のオブジェクトまたは前記第２のオブジェクトのいずれかは、前記ユーザを示すオブジェクトである、前記（６）に記載の情報処理装置。
（８）前記撮像画像は、異なる視点から撮像される第１の画像および第２の画像を含み、
前記第１のオブジェクトおよび前記第２のオブジェクトは、その一方が前記第１の画像から、他方が前記第２の画像から認識されるオブジェクトである、前記（１）〜（７）のいずれか１項に記載の情報処理装置。
（９）前記第１の情報は、前記第１のオブジェクトに対応するコンテンツであり、
前記第２の情報は、前記第２のオブジェクトに対応するアドレスであり、
前記関連付け部は、前記コンテンツを前記アドレスに送付する、前記（１）〜（８）のいずれか１項に記載の情報処理装置。
（１０）前記第１のオブジェクトは、第１の人物であり、
前記第２のオブジェクトは、第２の人物であり、
前記コンテンツは、前記第１の人物のプロフィール情報である、前記（９）に記載の情報処理装置。
（１１）前記第１のオブジェクトは、第１の人物であり、
前記第２のオブジェクトは、第２の人物であり、
前記関連付け部は、前記第１の人物を前記第２の人物との間のコミュニケーションチャネルを生成する、前記（１）〜（８）のいずれか１項に記載の情報処理装置。
（１２）前記関連付け部は、前記撮像画像および前記オブジェクトに対応する画像が表示される表示部において、前記第１のオブジェクトに対応する画像の表示位置と前記第２のオブジェクトに対応する画像の表示位置とを入れ替える、前記（１）〜（８）のいずれか１項に記載の情報処理装置。
（１３）前記第１のオブジェクトおよび前記第２のオブジェクトを指定する前記ユーザの操作は、前記第１のオブジェクトをドラッグして前記第２のオブジェクトにドロップする操作である、前記（１）〜（１２）のいずれか１項に記載の情報処理装置。
（１４）撮像画像から認識されるオブジェクトの中から第１のオブジェクトおよび第２のオブジェクトを指定するユーザの操作を示す操作情報を取得することと、
前記操作情報に基づいて、前記第１のオブジェクトに対応する第１の情報と前記第２のオブジェクトに対応する第２の情報とを関連付けることと
を含む情報処理方法。
（１５）撮像画像から認識されるオブジェクトの中から第１のオブジェクトおよび第２のオブジェクトを指定するユーザの操作を示す操作情報を取得する機能と、
前記操作情報に基づいて、前記第１のオブジェクトに対応する第１の情報と前記第２のオブジェクトに対応する第２の情報とを関連付ける機能と
をコンピュータに実現させるためのプログラム。
【符号の説明】
【００９７】
１００    サーバ装置
１１０    撮像画像取得部
１２０    オブジェクト認識部
１３０    操作情報取得部
１４０    関連付け部
１５０    オブジェクトＤＢ
１５１    オブジェクトデータ
２００    俯瞰カメラ
２１０    撮像部
３００，４００    端末装置
３１０    操作部
３２０    表示制御部
３３０    表示部
３３１，４３１    表示画面
４４０    撮像部
５０１    看板オブジェクト
５０３    人物オブジェクト
【図１】
2013200793.tif 000003
【図２】
2013200793.tif 000004
【図３】
2013200793.tif 000005
【図４】
2013200793.tif 000006
【図５】
2013200793.tif 000007
【図６】
2013200793.tif 000008
【図７】
2013200793.tif 000009
【図８】
2013200793.tif 000010
【図９】
2013200793.tif 000011
【図１０】
2013200793.tif 000012
【図１１】
2013200793.tif 000013
【図１２】
2013200793.tif 000014